(57)【要約】【課題】  記憶媒体に記憶された複数の画像データの中から必要性が低いものを探して消去するといった煩わしい作業を人間によって行うことなく、記憶媒体を効率良く利用することが可能な画像管理装置を提供する。【解決手段】  デジタルカメラ１００の画像データ制御部３は、記憶媒体６に記憶されている画像データの特徴（明るさ、合焦度、及び手振れ度の少なくとも１つ）に基づいて当該画像データの必要性を判定し、必要性が低いと判定した画像データを記憶媒体６から消去する。【選択図】  図１
2005039579.tif 000002
【特許請求の範囲】
【請求項１】
撮像素子により撮像されて記憶媒体に記憶された画像データを管理する画像管理装置であって、
前記画像データの特徴に基づいて当該画像データの必要性を判定する判定手段と、
前記判定手段の判定結果に応じて前記画像データを消去する画像消去手段とを備える画像管理装置。
【請求項２】
請求項１記載の画像管理装置であって、
前記特徴は、明るさ、合焦度、及び手ぶれ度の少なくとも１つを含む画像管理装置。
【請求項３】
撮像素子により撮像されて記憶媒体に記憶された複数の画像データを管理する画像管理装置であって、
前記複数の画像データのうちの任意の画像データとその他の画像データとの差分に基づいて、前記任意の画像データ及び前記その他の画像データの必要性を判定する判定手段と、
前記判定手段の判定結果に応じて、前記任意の画像データ及び前記その他の画像データの少なくとも１つを消去する画像消去手段とを備える画像管理装置。
【請求項４】
請求項３記載の画像管理装置であって、
前記判定手段は、前記任意の画像データと、当該画像データとの差分が閾値を下回った画像データとのうち、合焦度が最も大きい画像データ以外を前記必要性が低いと判定するものであり、
前記画像消去手段は、前記必要性が低いと判定された画像データを消去するものである画像管理装置。
【請求項５】
請求項１〜４のいずれか記載の画像管理装置であって、
前記画像消去手段は、前記必要性が低いと判定された画像データを外部からの指示により消去するものである画像管理装置。
【請求項６】
請求項１〜５のいずれか記載の画像管理装置であって、
前記判定手段は、前記画像データの撮像日時及び撮像場所の少なくとも一方に基づいてグループ化された画像データ群に含まれる画像データの数を求め、当該画像データの数が所定数を超える画像データ群に含まれる画像データについてのみ、前記必要性の判定を行うものである画像管理装置。
【請求項７】
撮像素子により撮像された画像データを管理する画像管理装置であって、
記憶媒体に記憶されている画像データと、前記撮像素子により撮像された前記記憶媒体に記憶前の画像データとの差分に基づいて、前記記憶前の画像データの必要性を判定する判定手段と、
前記判定手段の判定結果に応じて、前記記憶前の画像データを前記記憶媒体に記憶する画像記憶手段とを備える画像管理装置。
【請求項８】
請求項１〜７のいずれか記載の画像管理装置を備えるデジタルカメラ。
【発明の詳細な説明】
【技術分野】
【０００１】
本発明は、撮像素子により撮像されて記憶媒体に記憶された画像データの管理を行う画像管理装置に関する。
【背景技術】
【０００２】
ＣＣＤ等の固体撮像素子に被写体像を結像させ、デジタル画像データに変換してメモリカード等の記憶媒体に記憶するデジタルカメラが広く普及している。近年、デジタルカメラは高画質になってきており、画像を記憶するのに大きなメモリ容量を必要とするようになってきている。このため、多数の撮影を行うと、忽ち記憶媒体の空き容量が不足した状態になり、折角のシャッタチャンスを逃してしまうことがある。
【０００３】
このような不測の事態を避けるために、ユーザは記憶媒体の空き容量を常にチェックする必要がある。そして、空き容量がなくなった場合には、デジタルカメラ本体が備える表示装置で記憶済みの画像を再生し、その中から消去可能な画像を選択し、手動でその画像を消去することにより、記憶媒体の空き容量を確保していた。
【０００４】
一方、記憶媒体の記憶領域の残量が少なくなった際に、一度再生した画像データを検索して自動的に消去し、新たに記憶領域を確保する装置が提案されている（例えば、特許文献１参照）。
【特許文献１】特開平１１−６６６９４号公報
【発明の開示】
【発明が解決しようとする課題】
【０００５】
しかしながら、上記のように、ユーザの操作により記憶媒体の空き容量を確保する方法では、ユーザは記憶媒体の空き容量を常にチェックしたり、記憶済みの画像を表示装置で再生し、消去可能な画像を判断して消去動作を実行したりしなければならず、手間と時間を要し非効率的であった。
【０００６】
更に、一度再生した画像データを自動的に消去する方法では、再生したかどうかの履歴は一定の判断基準とはなるものの、画像データの重要度には無関係であり、大切な画像を誤って消去してしまう可能性がある。
【０００７】
本発明は、上記事情に鑑みてなされたものであり、撮像素子により撮像された画像データを記憶する記憶媒体を、煩雑な作業を行わずに効率良く利用することが可能な画像管理装置を提供することを目的とする。
【課題を解決するための手段】
【０００８】
本発明の画像管理装置は、撮像素子により撮像されて記憶媒体に記憶された画像データを管理する画像管理装置であって、前記画像データの特徴に基づいて当該画像データの必要性を判定する判定手段と、前記判定手段の判定結果に応じて前記画像データを消去する画像消去手段とを備える。
【０００９】
この装置は、画像データの特徴に基づいて当該画像データの必要性を判定し、その判定結果に応じて当該画像データを消去するものである。記憶媒体に記憶されている画像データのうち必要性が低いものを判定し、その画像データを記憶媒体から消去するといった動作をこの装置が行うことで、記憶媒体に記憶された複数の画像データの中から必要性が低いものを消去するといった作業を人間によって行うことなく、記憶媒体を効率良く利用することができる。
【００１０】
本発明の画像管理装置は、撮像素子により撮像されて記憶媒体に記憶された複数の画像データを管理する画像管理装置であって、前記複数の画像データのうちの任意の画像データとその他の画像データとの差分に基づいて、前記任意の画像データ及び前記その他の画像データの必要性を判定する判定手段と、前記判定手段の判定結果に応じて、前記任意の画像データ及び前記その他の画像データの少なくとも１つを消去する画像消去手段とを備える。
【００１１】
この装置は、記憶媒体に記憶された画像データ同士の差分に基づいて当該画像データの必要性を判定し、その判定結果に応じて画像データを消去するものである。記憶媒体に記憶されている画像データのうち必要性が低いものを判定し、その画像データを記憶媒体から消去するといった動作をこの装置が行うことで、記憶媒体に記憶された複数の画像データの中から必要性が低いものを消去するといった作業を人間によって行うことなく、記憶媒体を効率良く利用することができる。
【００１２】
本発明の画像管理装置は、撮像素子により撮像された画像データを管理する画像管理装置であって、記憶媒体に記憶されている画像データと、前記撮像素子により撮像された前記記憶媒体に記憶前の画像データとの差分に基づいて、前記記憶前の画像データの必要性を判定する判定手段と、前記判定手段の判定結果に応じて、前記記憶前の画像データを前記記憶媒体に記憶する画像記憶手段とを備える。
【００１３】
この装置は、撮像素子で撮像した画像データと記憶媒体に記憶されている画像データとの差分に基づいて、撮像した画像データの必要性を判定し、その判定結果に応じてその画像データを記憶媒体に記憶するものである。必要性が低いと判定した画像データを記憶媒体に記憶しないようにすることで、記憶媒体に記憶された複数の画像データの中から必要性が低いものを消去するといった作業を人間によって行うことなく、記憶媒体を効率良く利用することができる。
【発明の効果】
【００１４】
本発明によれば、撮像素子により撮像された画像データを記憶する記憶媒体を、煩雑な作業を行わずに効率良く利用することが可能な画像管理装置を提供することができる。
【発明を実施するための最良の形態】
【００１５】
図１は、本発明の実施形態を説明するためのデジタルカメラの概略構成を示す図である。デジタルカメラ１００は、撮像部１、信号処理部２、画像データ制御部３、ＲＡＭ４、ＲＯＭ５、記憶媒体６、表示部７、及び操作部８を備える。
【００１６】
撮像部１は、撮像レンズ、絞り機構及びオートフォーカス機構等を備えた光学系と、ＣＣＤ等の固体撮像素子からなり、光学系を介してＣＣＤに結像された被写体像を電気信号に変換する。
【００１７】
信号処理部２は、ＣＣＤの出力信号をデジタル画像信号に変換するＡ／Ｄコンバータ、デジタル画像信号から輝度・色差信号を生成する色分離回路、明るさ補正、ホワイトバランス補正、ガンマ補正、シャープネス補正、コントラスト補正等の補正処理回路を有し、画像信号の処理を実行する。
【００１８】
画像データ制御部３は、ＲＡＭ４及びＲＯＭ５を含んでマイクロプロセッサを構成し、信号処理部２で得られた画像信号についてＪＰＥＧ圧縮・伸張処理を行うと共に、圧縮処理して得られた画像データの記憶媒体６への記憶や、記憶媒体６に記憶された画像データの表示部７への再生等を制御する。
【００１９】
また、記憶媒体６に記憶された画像データの必要性を判定し、その中から必要性の低い画像データを抽出すると共に、抽出した画像データの一部又は全ての消去を実行する。
【００２０】
ＲＡＭ４は揮発性メモリからなり、信号処理部２において取得した画像信号の一時記憶領域として利用される。また、ＲＯＭ５は不揮発性メモリからなり、撮像処理を制御するプログラム等が格納される。
【００２１】
記憶媒体６は、デジタルカメラ１０本体に着脱可能な、例えば、スマートメディア（登録商標）やコンパクトフラッシュ（登録商標）、ＳＤメモリカード（登録商標）等のリムーバブルメディアであり、撮影情報等を含むタグ情報を持つ画像データが記憶される。尚、記憶媒体６はリムーバブルメディアに限らず、デジタルカメラ１０本体に内蔵されたフラッシュメモリ等からなる内部メモリであってもよい。
【００２２】
表示部７は、液晶ディスプレイ（ＬＣＤ）等の表示装置であり、撮影時に、撮影情報やスルー画像を表示したり、記憶媒体６に記憶された画像データを再生して表示したりする。
【００２３】
操作部８は、電源スイッチ、モード切換スイッチ、機能選択ボタン、方向キー、及びシャッタボタン等を備えてなるデジタルカメラ１０の操作入力手段であり、これらのキーが操作されることによる状態信号が画像データ制御部３に送られ、デジタルカメラ１０の各機能が実行される。
【００２４】
次に、以上のように構成されたデジタルカメラ１００の記憶媒体６に記憶された画像データの消去方法について、第１〜第５の実施形態で説明する。
【００２５】
（第１実施形態）
本実施形態は、記憶媒体６にほぼ同一の画像データが複数記憶されている場合に、その少なくとも１つを自動的に消去する方法である。以下、図２に示すフローチャートに従って動作手順を説明する。
【００２６】
まず、画像データ制御部３は、記憶媒体６に記憶された画像データの中から、撮影順に自動付与されたコマ番号ｎの画像データを抽出する（ステップＳ１１）。そして、コマ番号ｎの画像データと記憶媒体６に記憶されているコマ番号ｎ以外の画像データの各々とを減算し、その絶対値を積算する（ステップＳ１２）。
【００２７】
次いで、画像データ制御部３は、上記積算値が予め定めた基準値（閾値）以下の画像データの有無を判定し（ステップＳ１３）、積算値が基準値以下の画像データがあった場合、それらの画像データとコマ番号ｎの画像データとが同一であると判定すると共に、コマ番号ｎの画像データの必要性が低いと判定し、コマ番号ｎの画像データを消去する（ステップＳ１４）。
【００２８】
一方、積算値が基準値以下の画像データがなかった場合、それらの画像データとコマ番号ｎの画像データとが異なると判定すると共に、コマ番号ｎの画像データの必要性が高いと判定し、画像データの消去を行うことなく、ステップＳ１５に進む。ここで、上記基準値は、固定値又はユーザが設定した値のいずれであってもよい。
【００２９】
続いて、画像データ制御部３は、コマ番号ｎ＋１以降に画像データがあるか否かを判定する（ステップＳ１５）。その結果、コマ番号ｎ＋１以降に画像データがない場合は動作を終了する。一方、コマ番号ｎ＋１以降に画像データがある場合は、ｎに１を加えて（ステップＳ１６）
ステップＳ１１に戻る。
【００３０】
このように、記憶媒体６に記憶された画像データの中にほぼ同一の画像データが複数記憶されていた場合、その画像データの少なくとも１つを自動的に消去するため、ユーザの手を煩わせることなく、記憶媒体６の空き容量を増やすことができる。
【００３１】
尚、上記において、画像データ制御部３が画像データを自動的に消去するのではなく、画像データの消去を手動で行うことも可能であり、図３に示すフローチャートを用いて以下に説明する。
【００３２】
図３において、ステップＳ２１〜Ｓ２３の手順は、図２のステップＳ１１〜Ｓ１３と同じであり、説明を省略する。
【００３３】
ステップＳ２３において積算値が基準値以下である画像データがあった場合、画像データ制御部３は、コマ番号ｎの画像データの必要性が低いと判定し、コマ番号ｎの画像データをＲＡＭ４に記憶する（ステップＳ２４）。一方、積算値が基準値以下である画像データがなかった場合、コマ番号ｎの画像データの必要性が高いと判定し、画像データの消去を行うことなく、ステップＳ２５に進む。ここで、上記基準値は、固定値又はユーザが設定した値のいずれであってもよい。
【００３４】
続いて、画像データ制御部３は、コマ番号ｎ＋１以降に画像データがあるか否かを判定し（ステップＳ２５）、コマ番号ｎ＋１以降に画像データがある場合は、ｎに１を加えて（ステップＳ２６）ステップＳ２１に戻る。
【００３５】
一方、コマ番号ｎ＋１以降に画像データがない場合、
画像データ制御部３は、記憶媒体６に記憶されている画像データのサムネイル画像を表示部７に表示し、ステップＳ２４で記憶したコマ番号の画像データをＲＡＭ４から読み出し、図４に示したように、読み出した画像データのサムネイル画像上に、消去候補であることを明らかにするためのマーキング（×印）を行う（ステップＳ２７）。
【００３６】
ユーザは、デジタルカメラ１０本体の操作部８の方向キーを操作してカーソルを移動させ、×印がついた画像のうち消去したいものを選択する。そして、画像データ制御部３は、ユーザにより選択された画像を記憶媒体６から消去する（ステップＳ２８）。尚、選択した画像データの消去動作は、一括、逐次のいずれであってもよい。
【００３７】
このように、消去する画像をユーザにより判断するため、重要な画像データを記憶媒体６から誤って消去してしまうといったことを回避することができる。
【００３８】
以上のように本実施形態によれば、記憶媒体６に記憶された画像データの中にほぼ同一の画像データがある場合、その画像データの少なくとも１つを自動的に消去する。このため、ユーザの手を煩わせることなく、記憶媒体６の空き容量を容易に確保することができる。特に、連写（連続コマ送り撮影）機能を使用した場合には、画角が同じ場合が多いのでその効果は絶大である。
【００３９】
尚、画像データ制御部３は、撮像部１で撮像されＲＡＭ４に一時的に記憶された画像データと、記憶媒体６に記憶されている全ての画像データの各々とを減算して絶対値を積算し、積算値が基準値を超える場合にのみ、ＲＡＭ４に記憶した画像データを記憶媒体６に記憶するようにしてもよい。
【００４０】
又、画像データ制御部３は、記憶媒体６に記憶されている画像データについて上記のような処理を行っているが、連写等によって得られた複数の画像データをＲＡＭ４に記憶したときに、そこに記憶した複数の画像データについて各々の差分の積算値をとり、積算値が基準値以下のものは消去し、積算値が基準値を超えるものだけ記憶媒体６に記憶するようにしても良い。これにより、連写により得られた画像データがほぼ同一のものであった場合等には、記憶媒体６に記憶する画像データの数を減らすことができるため、記憶媒体６を効率的に利用することができる。
【００４１】
（第２実施形態）
本実施形態は、記憶媒体６に記憶されている画像データについて、その必要性を明るさで判定し、必要性の低い画像データを自動的に消去する方法である。以下、図５に示すフローチャートに従って動作手順を説明する。
【００４２】
まず、画像データ制御部３は、記憶媒体６からコマ番号ｎの画像データを抽出し（ステップＳ３１）
、抽出した画像データについて、その特徴である画像の明るさを算出する（ステップＳ３２）。画像の明るさは、画像データから分離した輝度成分を積算することにより求められる。
【００４３】
次に、画像データ制御部３は、算出した明るさが予め定めた基準値以下であるか否かを判定し（ステップＳ３３）、明るさが基準値以下の場合、この画像データの必要性が低いと判定して、コマ番号ｎの画像データを消去する（ステップＳ３４）。一方、明るさが基準値を超えている場合、この画像データの必要性が高いと判定して、画像データの消去を行うことなくステップＳ３５に進む。尚、上記基準値は、固定値又はユーザが設定した値のいずれであってもよい。
【００４４】
続いて、画像データ制御部３は、コマ番号ｎ以降に画像データがあるか否かを判定する（ステップＳ３５）。その結果、コマ番号ｎ以降に画像データがなければ動作を終了する。一方、コマ番号ｎ以降に画像データがある場合は、ｎに１を加えて（ステップＳ３６）ステップＳ３１に戻る。
【００４５】
このように、記憶媒体６に記憶された画像データの明るさによってその必要性を判定し、必要性が低い画像データを自動的に消去するため、ユーザの手を煩わせることなく、記憶媒体６の空き容量を増やすことができる。
【００４６】
尚、上記の説明では、明るさが基準値以下の画像データを自動的に消去する方法を示したが、画像データの消去を手動で行うことも可能であり、以下に図６のフローチャートを用いて説明する。図６において、ステップＳ４１〜Ｓ４３の手順は、図５のステップＳ３１〜Ｓ３３と同じであり、説明を省略する。
【００４７】
ステップＳ４３で画像の明るさが基準値以下の場合、画像データ制御部３は、コマ番号ｎの画像データをＲＡＭ４に記憶し（ステップＳ４４）、コマ番号ｎ以降に画像データがあるか否かを判定する（ステップＳ４５）。その結果、コマ番号ｎ以降に画像データがある場合、画像データ制御部３は、ｎに１を加えて（ステップＳ４６）ステップＳ４１に戻る。
【００４８】
一方、判定の結果、コマ番号ｎ以降に画像データがない場合はステップＳ４７に進む。
ステップＳ４７、Ｓ４８は、先の第１実施形態の図３に示したフローにおけるＳ２７、Ｓ２８と同じである。
【００４９】
このように、消去すべき画像をユーザにより判断するため、出来映えは悪いが消去はしたくないといった画像を、記憶媒体６から誤って消去してしまうのを回避することができる。
【００５０】
以上のように本実施形態によれば、画像データに基づく画像の明るさが基準値以下のものを自動的に消去するため、ユーザの手を煩わせることなく、記憶媒体６の空き容量を容易に確保することができる。
【００５１】
尚、画像データ制御部３は、撮像部１で撮像されＲＡＭ４に一時的に記憶された画像データについてその明るさを求め、明るさが基準値を超える場合にのみ、その画像データを記憶媒体６に記憶するようにしてもよい。
【００５２】
（第３実施形態）
本実施形態は、記憶媒体６に記憶されている画像データについて、その必要性を合焦度（ピントが合っているか否かを示す数値）で判定し、必要性の低い画像データを自動的に消去する方法である。以下、図７に示すフローチャートに従って動作手順を説明する。
【００５３】
まず、画像データ制御部３は、記憶媒体６からコマ番号ｎの画像データを抽出し（ステップＳ５１）、抽出した画像データについて、画像の合焦度を算出する（ステップＳ５２）。ここで、画像の合焦度は、画像の縦方向の画素及び横方向の画素について輝度成分を微分して積算し、積算値に含まれる高周波成分の割合を算出することにより求められる。
【００５４】
例えば、画像の横方向の画素について、隣接画素間の輝度値差分の絶対値を求める。これを横方向の全てについて行い、輝度値差分の絶対値の総和を求める。同様にして、縦方向の画素についての輝度値差分の絶対値の総和を求める。最後に、２つの総和を乗算して合焦度とする。
【００５５】
画像データ制御部３は、算出した合焦度が予め定めた基準値以下であるか否かを判定し（ステップＳ５３）、合焦度が基準値以下の場合、コマ番号ｎの画像データの必要性が低いと判定して、コマ番号ｎの画像データを消去する（ステップＳ５４）。一方、合焦度が基準値を超えている場合は、コマ番号ｎの画像データの必要性が高いと判定して、画像データの消去を行うことなくステップＳ５５に進む。尚、上記基準値は、固定値又はユーザが設定した値のいずれであってもよい。
【００５６】
続いて、画像データ制御部３は、コマ番号ｎ以降に画像データがあるか否かを判定し（ステップＳ５５）、コマ番号ｎ以降に画像データがなければその時点で動作を終了する。一方、コマ番号ｎ以降に画像データがある場合は、ｎに１を加えて（ステップＳ５６）ステップＳ５１に戻る。
【００５７】
尚、第１実施形態の方法によってほぼ同一の画像データを抽出した上で、本実施形態の方法を適用すれば、消去する画像を的確に判断することが可能であり、以下に図８のフローチャートを用いて説明する。図８において、ステップＳ６１〜Ｓ６３の手順は、図２のステップＳ１１〜Ｓ１３と同じであり、説明を省略する。
【００５８】
ステップＳ６３において、積算値が基準値以下の画像データがあった場合、それらの画像データとコマ番号ｎの画像データの合焦度を算出する（ステップＳ６４）。そして、合焦度が最も大きい画像データ以外を必要性が低いと判定し、必要性が低いと判定した画像データをＲＡＭ４に一時的に記憶する（ステップＳ６５）。一方、積算値が基準値以下の画像データがなかった場合はステップＳ６６に進む。ここで、上記基準値は、固定値又はユーザが設定した値のいずれであってもよい。
【００５９】
続いて、画像データ制御部３は、コマ番号ｎ＋１以降に画像データがあるか否かを判定し（ステップＳ６６）、コマ番号ｎ＋１以降に画像データがない場合は、ステップＳ６５で記憶した画像データを消去し（ステップＳ６８）、動作を終了する。一方、コマ番号ｎ＋１以降に画像データがある場合は、ｎに１を加えて（ステップＳ６７）ステップＳ６１に戻る。
【００６０】
以上のように本実施形態によれば、画像データに基づく画像の合焦度が基準値以下のものを自動的に消去するため、ユーザの手を煩わせることなく、記憶媒体６の空き容量を容易に確保することができる。又、ほぼ同一の画像データが記憶媒体６に記憶されていた場合、それらの画像データのうち合焦度が最も大きいもの以外を消去するため、同一の画像データのうち、ピントが合っている出来映えの良い画像データを誤って消去するといったことを回避することができる。
【００６１】
尚、画像データ制御部３は、撮像部１で撮像されＲＡＭ４に一時的に記憶された画像データについてその合焦度を求め、合焦度が基準値を超える場合にのみ、その画像データを記憶媒体６に記憶するようにしてもよい。
【００６２】
又、ステップＳ６８において、画像データ制御部３が画像データの消去を自動的に行うのではなく、第１又は第２実施形態で説明した方法で、ユーザからの指示によって消去を行うようにしても良い。
【００６３】
（第４実施形態）
本実施形態は、記憶媒体６に記憶されている画像データについて、その必要性を手振れ度（画像がぶれているか否かを示す数値）で判定し、必要性の低い画像データを自動的に消去する方法である。図９に示すフローチャートに従って動作手順を説明する。
【００６４】
ユーザの操作により、撮影モードに切り換えられると（ステップＳ７１）、画像データ制御部３は、スルー画像を表示部７に表示させながら最新のスルー画像２つをＲＡＭ４に一時的に記憶する（ステップＳ７２）。
【００６５】
次いで、シャッタボタンが全押しされたか否かを判定し（ステップＳ７３）、その結果、全押しされていなければステップＳ７２に戻って待機する。一方、シャッタボタンが全押しされた場合は、撮影画像と最新のスルー画像２つをタグ情報及びサムネイル画像と共に、例えば図１０に示すファイル形式の画像データとして記憶媒体６に記憶する（ステップＳ７４）。
【００６６】
続いて画像データ制御部３は、記憶媒体６の空き容量が所定量以下になっているか否かを判定する（ステップＳ７５）。その結果、記憶媒体６の空き容量が所定量を超えている場合は、ステップＳ７２に戻って待機する。一方、記憶媒体６の空き容量が所定量以下である場合は、ステップＳ７４で記憶した画像データを記憶媒体６から読み出し、その画像データのタグ情報に含まれる２つのスルー画像同士の差分を積算して、その画像データに基づく画像の手振れ度を算出する（ステップＳ７６）。
【００６７】
画像データ制御部３は、上記算出した手振れ度が基準値以上か否かを判定し（ステップＳ７７）、手振れ度が基準値以上の場合は、ステップＳ７４で記憶した画像データを消去する（ステップ７８）。
一方、手振れ度が基準値以上でない場合は、ステップＳ７２に戻って次の撮影に備える。
【００６８】
以上説明したように本実施形態によれば、
画像データに基づく画像の手振れ度が基準値以上のものを自動的に消去するため、ユーザの手を煩わせることなく、記憶媒体６の空き容量を容易に確保することができる。
【００６９】
尚、画像データ制御部３は、撮像部１による撮像時に、２つのスルー画像の減算処理を実行して手振れ度を算出し、その手振れ度を、撮像した画像データのタグ情報として記憶媒体６に記憶するようにしてもよい。これによれば、画像データ制御部３が、手振れのある画像データを、そのタグ情報を参照して自動的に削除することが可能となるので、画像消去時の処理を高速化することができる。
【００７０】
又、画像データ制御部３は、撮像部１で撮像されＲＡＭ４に一時的に記憶した画像データについてその手振れ度を求め、手振れ度が基準値を下回る場合にのみ、ＲＡＭ４に記憶した画像データを記憶媒体６に記憶するようにしてもよい。
【００７１】
又、ステップＳ７８において、画像データ制御部３が画像データの消去を自動的に行うのではなく、第１又は第２実施形態で説明した方法で、ユーザからの指示によって消去を行うようにしても良い。
【００７２】
（第５実施形態）
本実施形態は、時計及び測位の両機能を備えたデジタルカメラにおいて、記憶媒体６に記憶されている画像データの中から、同一日時、同一場所で撮影された画像データを対象として消去を行う方法である。
【００７３】
図１１は、本実施形態の第５実施形態を説明するためのデジタルカメラの概略構成を示す図である。デジタルカメラ２００は、撮像部１、信号処理部２、画像データ制御部３、ＲＡＭ４、ＲＯＭ５、記憶媒体６、表示部７、操作部８、時計部９、及び測位部１０を備える。尚、撮影部１〜操作部８は、図１に示したデジタルカメラ１００と同一構成であり、個々の説明は省略する。
【００７４】
時計部９は、所定の基準周波数を発振する振動子と分周回路から構成され、被写体を撮影した際のタイムスタンプとなる日時情報を生成する。ここで生成された日時情報は、画像データ制御部３により、タグ情報として撮影画像やサムネイル画像と共に、例えば図１２に示すファイル形式で記憶媒体６に記憶される。
【００７５】
測位部１０は、ＧＰＳセンサと測位演算回路とを備え、ＧＰＳ衛星から受信した航法メッセージに基づいて測位計算を行い、位置情報を生成する。ここで生成された位置情報は、画像データ制御部３により、タグ情報として撮影画像やサムネイル画像と共に、例えば図１２に示すファイル形式で記憶媒体６に記憶される。
【００７６】
次に、図１１に示したデジタルカメラ２００において、記憶媒体６中の画像データを消去して空き容量を確保する方法を、図１３のフローチャートを用いて説明する。
【００７７】
まず、画像データ制御部３は、記憶媒体６に記憶された画像データの中から、撮影日時及び撮影場所が同一の画像データを抽出し、抽出した複数の画像データを１つの画像データ群とし、記憶媒体６に記憶されている全ての画像データから複数の画像データ群を求める（ステップＳ８１）。そして、各画像データ群に含まれる画像データの数が、予め定めた所定数以上であるか否かを判定する（ステップＳ８２）。
【００７８】
その結果、所定数以上の画像データを含む画像データ群については、第１〜第４実施形態で説明した方法により、その画像データ群に含まれる画像データの消去を行い（ステップＳ８３）、動作を終了する。一方、所定数に満たない数の画像データを含む画像データ群については、消去動作を行わずに動作を終了する。
【００７９】
以上のように本実施形態によれば、記憶媒体６に記憶された画像データを、その撮影日時及び撮影場所によってグループ化し、画像データの数が所定数以上のグループのみに対して、第１〜第４実施形態で説明した方法で記憶媒体６に記憶されている画像データの消去を行う。つまり、記憶媒体６に記憶されている全ての画像データに対して消去処理を行わないため、第１〜第４実施形態で説明した方法よりも効率的に記憶媒体６の記憶容量を確保することができる。
【００８０】
尚、第１〜第４実施形態で説明した各方法を組み合わせることも可能であり、これにより、画像データの必要性の判定をより精度良く行うことができる。
【図面の簡単な説明】
【００８１】
【図１】本発明の実施形態を説明するためのデジタルカメラの概略構成を示す図
【図２】本発明の第１実施形態を説明するためのデジタルカメラの動作を説明するためのフローを示す図
【図３】本発明の第１実施形態を説明するためのデジタルカメラの動作を説明するためのフローを示す図
【図４】本発明の第１実施形態を説明するためのデジタルカメラの表示部の表示画面の一例を示す図
【図５】本発明の第２実施形態を説明するためのデジタルカメラの動作を説明するためのフローを示す図
【図６】本発明の第２実施形態を説明するためのデジタルカメラの動作を説明するためのフローを示す図
【図７】本発明の第３実施形態を説明するためのデジタルカメラの動作を説明するためのフローを示す図
【図８】本発明の第３実施形態を説明するためのデジタルカメラの動作を説明するためのフローを示す図
【図９】本発明の第４実施形態を説明するためのデジタルカメラの動作を説明するためのフローを示す図
【図１０】画像データのファイル形式の１例を示す図
【図１１】本発明の第５実施形態を説明するためのデジタルカメラの概略構成を示す図
【図１２】画像データのファイル形式の１例を示す図
【図１３】本発明の第５実施形態を説明するためのデジタルカメラの動作を説明するためのフローを示す図
【符号の説明】
【００８２】
１  撮像部
２  信号処理部
３  画像データ制御部
４  ＲＡＭ
５  ＲＯＭ
６  記憶媒体
７  表示部
８  操作部
１００  デジタルカメラ
【図１】
2005039579.tif 000003
【図２】
2005039579.tif 000004
【図３】
2005039579.tif 000005
【図４】
2005039579.tif 000006
【図５】
2005039579.tif 000007
【図６】
2005039579.tif 000008
【図７】
2005039579.tif 000009
【図８】
2005039579.tif 000010
【図９】
2005039579.tif 000011
【図１０】
2005039579.tif 000012
【図１１】
2005039579.tif 000013
【図１２】
2005039579.tif 000014
【図１３】
2005039579.tif 000015